(57)【要約】【課題】害虫を防除するのに好適であると共に、使用前及び使用時においても害虫防除剤に含まれる有効成分の漏れを起こすことがなく、取扱性を向上させた害虫防除剤収納容器を提供する。【解決手段】装着時に容器本体１１と蓋体１２との間で画成される収納空間３０に収納される薬剤含浸体１３は、容器本体１１の内底面１４に設けられた支持部１９によりその内底面１４から離間するように配置され、そして蓋体１２表面に設けられた揮散孔２５から害虫防除剤の有効成分を外部へ揮散させる。これにより、使用前及び使用時においても、接触面を伝って漏れ出ることがなく、例えば、箪笥、引き出し、流し台収納部、食器棚等、害虫防除剤との接触が好ましくないものが収納される空間に設置されたとしても、害虫防除剤が外部へ漏れ出ることがない。【選択図】図１
2009153400.tif 000002
【特許請求の範囲】
【請求項１】
所定の面に載置するための平坦面を有する容器本体と、当該容器本体に装着される蓋体と、害虫防除剤を保持する薬剤含浸体と、を有し、前記容器本体に前記蓋体が装着されることで画成される収納空間に前記薬剤含浸体が収納される害虫防除剤収納容器であって、
前記蓋体の表面には、前記収納空間に連通される揮散孔が設けられ、
前記容器本体の内底面には、前記薬剤含浸体を前記内底面から離間配置するための支持部が設けられている
ことを特徴とする害虫防除剤収納容器。
【請求項２】
前記支持部は、前記内底面の周方向に所定の間隔で複数配設されている
ことを特徴とする請求項１に記載の害虫防除剤収納容器。
【請求項３】
前記容器本体は、前記内底面の中央部から立設される容器本体側環状内方壁と、前記内底面から立設され且つ当該容器本体側環状内方壁を径方向で包囲する容器本体側環状外方壁と、前記内底面の周縁から立設される容器本体側外壁と、を有し、一方
前記蓋体は、内天面の中央部から立設される蓋体側環状内方壁と、当該内天面から立設され且つ当該蓋体側環状内方壁を径方向で包囲する蓋体側環状外方壁と、前記内天面の周縁から立設される蓋体側外壁と、を有し、そして
前記容器本体に前記蓋体が装着された時に、前記容器本体側環状外方壁は、前記蓋体側環状外方壁と前記蓋体側外壁との間に嵌め込まれ、且つ前記容器本体側環状内方壁は前記蓋体側環状内方壁と前記蓋体側環状外方壁との間に嵌め込まれるように構成されている
ことを特徴とする請求項１又は２に記載の害虫防除剤収納容器。
【請求項４】
前記容器本体側環状外方壁、前記蓋体側環状外方壁、及び前記蓋体側外壁の少なくとも一方に係止突起が設けられ、そして
前記容器本体側環状外方壁、前記蓋体側環状外方壁、及び前記蓋体側外壁の少なくとも他方に、前記容器本体に前記蓋体が装着された時に、前記係止突起に対応して係合される係合部が設けられる
ことを特徴とする請求項３に記載の害虫防除剤収納容器。
【請求項５】
更に、前記容器本体に、前記収納空間に連通される揮散孔が設けられる
ことを特徴とする請求項１〜４のいずれか１つに記載の害虫防除剤収納容器。
【請求項６】
前記蓋体に設けられる前記揮散孔が、前記所定の面から所定の高さ以内の範囲に位置するように設けられる
ことを特徴とする請求項１〜５のいずれか１つに記載の害虫防除剤収納容器。
【発明の詳細な説明】
【技術分野】
【０００１】
本発明は、精油等を揮散させて、例えばゴキブリ、コクゾウムシ等の害虫を防除するために用いられる害虫防除剤収納容器に関する。
【背景技術】
【０００２】
従来、害虫防除剤収納容器としては、害虫を忌避するためアクセサリーケース内に液体揮散忌避成分を収納した害虫防除剤収納容器が知られている（例えば、特許文献１参照）。
【０００３】
この特許文献１に開示された害虫防除剤収納容器では、薬剤含浸体として多孔質セラミックスに液体揮散忌避成分を染み込ませており、この多孔質セラミックスをアクセサリーケース内に収納して、そしてアクセサリーケースに設けられた揮散孔から液体揮散忌避成分を揮散させるようにしたものである。
【０００４】
【特許文献１】特開２００１−３０２４０９（図２）
【発明の開示】
【発明が解決しようとする課題】
【０００５】
しかしながら、この特許文献１に開示されたものは、アクセサリーケース内に液体揮散忌避成分が染み込んだ多孔質セラミックスをその容器内部に、単に収納しているのみであり、液体揮散忌避成分がアクセサリーケースから外部へ漏れる虞があり、使用時に漏れが生じてしまうとアクセサリーケース１０１の周囲の人体や被服に直接付着して好ましいものではなかった。
【０００６】
ここで、この種の害虫防除剤収納容器で発生する漏れは、多孔質セラミックスが接触設置されるアクセサリーケースの内底面をこの多孔質セラミックス自体から漏れ出た液体揮散忌避成分が直接伝って起きる場合、加えてアクセサリーケースがポリプロピレン等の樹脂材で成形されているときには、この樹脂材に液体揮散忌避成分が染み込んで起きる場合、等が考えられ、特に液体揮散忌避成分が精油等、油性の薬剤であった場合には、この漏れの問題は顕著になるが、この種の従来の害虫防除剤収納容器では、このような漏れを防止することは難しかった。
【０００７】
本発明は、前述した事情に鑑みてなされたものであり、その目的は、害虫を防除するのに好適であると共に、使用前及び使用時においても害虫防除剤に含まれる有効成分の漏れを起こすことがなく、取扱性を向上させた害虫防除剤収納容器を提供することにある。
【課題を解決するための手段】
【０００８】
本発明の前述の目的は、下記の構成により達成される。
（１）  所定の面に載置するための平坦面を有する容器本体と、当該容器本体に装着される蓋体と、害虫防除剤を保持する薬剤含浸体と、を有し、前記容器本体に前記蓋体が装着されることで画成される収納空間に前記薬剤含浸体が収納される害虫防除剤収納容器であって、
前記蓋体の表面には、前記収納空間に連通される揮散孔が設けられ、
前記容器本体の内底面には、前記薬剤含浸体を前記内底面から離間配置するための支持部が設けられている
ことを特徴とする害虫防除剤収納容器。
（２）  前記支持部は、前記内底面の周方向に所定の間隔で複数配設されている
ことを特徴とする上記（１）の害虫防除剤収納容器。
（３）  前記容器本体は、前記内底面の中央部から立設される容器本体側環状内方壁と、前記内底面から立設され且つ当該容器本体側環状内方壁を径方向で包囲する容器本体側環状外方壁と、前記内底面の周縁から立設される容器本体側外壁と、を有し、一方
前記蓋体は、内天面の中央部から立設される蓋体側環状内方壁と、当該内天面から立設され且つ当該蓋体側環状内方壁を径方向で包囲する蓋体側環状外方壁と、前記内天面の周縁から立設される蓋体側外壁と、を有し、そして
前記容器本体に前記蓋体が装着された時に、前記容器本体側環状外方壁は、前記蓋体側環状外方壁と前記蓋体側外壁との間に嵌め込まれ、且つ前記容器本体側環状内方壁は前記蓋体側環状内方壁と前記蓋体側環状外方壁との間に嵌め込まれるように構成されている
ことを特徴とする上記（１）又は（２）の害虫防除剤収納容器。
（４）  前記容器本体側環状外方壁、前記蓋体側環状外方壁、及び前記蓋体側外壁の少なくとも一方に係止突起が設けられ、そして
前記容器本体側環状外方壁、前記蓋体側環状外方壁、及び前記蓋体側外壁の少なくとも他方に、前記容器本体に前記蓋体が装着された時に、前記係止突起に対応して係合される係合部が設けられる
ことを特徴とする上記（３）の害虫防除剤収納容器。
（５）  更に、前記容器本体に、前記収納空間に連通される揮散孔が設けられる
ことを特徴とする上記（１）〜（４）のいずれか１つの害虫防除剤収納容器。
（６）  前記蓋体に設けられる前記揮散孔が、前記所定の面から所定の高さ以内の範囲に位置するように設けられる
ことを特徴とする上記（１）〜（５）のいずれか１つの害虫防除剤収納容器。
【０００９】
上記（１）の構成によれば、装着時に容器本体と蓋体との間で画成される収納空間に収納される薬剤含浸体は、容器本体の内底面に設けられた支持部によりその内底面から離間するように配置され、そして蓋体表面に設けられた揮散孔から害虫防除剤の有効成分を外部へ揮散させる。これにより、使用前及び使用時においても、接触面を伝って漏れ出ることがなく、例えば、箪笥、引き出し等、害虫防除剤との接触が好ましくないものが収納される空間に設置されたとしても、害虫防除剤が外部へ漏れ出ることがない。また、薬剤含浸体に保持されている害虫防除剤が薬剤含浸体本体から漏れ出たとしても、支持部上の薬剤含浸体と内底面との間には隙間空間が存在するため、この隙間空間に一旦貯留された後にこの隙間空間内で気流等が発生して自然に揮散されることになり、外部への漏れを抑制することができる。したがって、害虫を防除するのに好適であると共に、使用前及び使用時においても外部への害虫防除剤に含まれる有効成分の漏れを起こすことがなく、取扱性を向上させることができる。さらに、容器本体には所定の面に載置するための平坦面が設けられているので、箪笥、引き出し、流し台収納部、食器棚等に安定して害虫防除剤収納容器を設置することができる。
上記（２）の構成によれば、装着時に容器本体と蓋体との間で画成される収納空間に収納される薬剤含浸体は、内底面の周方向に所定の間隔で複数配設されている支持部上に配置される。このため、雰囲気に対する薬剤含浸体全体の露出面積をより増大することができるので、薬剤含浸体の揮散性を向上させることができる。加えて、薬剤含浸体に保持されている害虫防除剤が薬剤含浸体本体から漏れ出たとしても、害虫防除剤が、前述した支持部上の薬剤含浸体と内底面との間の隙間空間に加えて、支持部それぞれの周方向間には空隙も存在するため、これら空間内でさらに自然に揮散されることになり、外部への漏れをより抑制することができる。
上記（３）の構成によれば、蓋体が容器本体に装着された時、容器本体側環状外方壁が蓋体側環状外方壁と蓋体側外壁との間に嵌め込まれると同時に容器本体側環状内方壁は蓋体側環状内方壁と蓋体側環状外方壁との間に嵌め込まれ、このことにより二重嵌合が実現されることになる。このため、密閉性に優れ使用前の害虫防除剤の漏れ（容器外部への有効成分の漏れ）を防ぐと共に害虫防除剤収納容器の傾きや倒れが生じたとしても、この二重嵌合で蓋体及び容器本体が密着されているので、蓋体と容器本体との間から漏れが生ずることがなく、取扱性を向上させることができる。なお、この二重嵌合が実現できれば、容器本体側環状内方壁、容器本体側環状外方壁、容器本体側外壁、及び蓋体側環状内方壁、蓋体側環状外方壁、蓋体側外壁のそれぞれは、種々の形状を採用することができ、例えば、円形状、多角形状、星形状、そして、これに加えて、動物、植物、キャラクター等の意匠性を有した形状とすることができる。
上記（４）の構成によれば、蓋体が容器本体に装着された時、容器本体側環状外方壁、蓋体側環状外方壁、及び蓋体側外壁の少なくともいずれか一方に設けられた係止突起が、前記容器本体側環状外方壁、前記蓋体側環状外方壁、及び前記蓋体側外壁の少なくとも他方に設けられた係合部に係合されることで、嵌め合わせ感が適度に付与できて、蓋体と容器本体との装着が確実に行われたことを作業者や使用者に促すことができると共に上記（３）の効果をより高めることができる。
上記（５）の構成によれば、容器本体側にも揮散孔が設けられるので、害虫防除剤の有効成分をより多く、外部へ揮散させることができ、使用時における揮散性をより高めて、害虫防除効果の向上を図ることができる。
上記（６）の構成によれば、蓋体に設けられる揮散孔が、所定の面、即ち設置面から所定の高さ以内の範囲に位置するように設けられ、揮散孔と設置面との距離が近くなるので、その揮散孔から揮散させられた害虫防除剤の有効成分がその設置面に沿って放射状に拡散されることになる。このため、対象とする害虫が、ゴキブリ、コクゾウムシ等の匍匐害虫とされる場合には、害虫防除効果をより高めることができ、また引き出し等の高さが低い空間での使用に適している。
【００１０】
ここで、害虫防除剤の有効成分としては精油を含み、この精油としては、例えば、リナロール、α―ピネン、β−ピネン、リモネン、ゲラニオール、シトラール、シトロネラール、ヒノキオイル、月桃オイル、ヒバオイル、スペアミントオイル、バジルオイル、バラオイル、ジャスミンオイル、ユーカリオイル、キュベバオイル、ハッカオイル、オレンジオイル、レモンオイル、グレープフルーツオイル、ライムオイル、ペチバーオイル、レモングラスオイル、ローズマリーオイル、ラベンダーオイル、イランイランオイル、ティートリーオイル、ボアドローズオイル、マジョラムオイル、ホップオイル、シソオイル、ベルガモットオイル、ゼラニウムオイル、ニームオイル、防虫菊オイル、カモミールオイル、等を例示することができる。
また、この他にも常温で揮散性を有する、例えば、エムペントリン、トランスフルトリン、プロフルトリン、メトフルトリン等のピレスロイド系化合物を用いることができる。
【００１１】
そして、このような害虫防除剤が含浸される薬剤含浸体としては、効率よく自然揮散させる上で、薄型で化合物の自然揮散を妨げない構造のものを使用する。このような薬剤含浸体は、その容積が小さくても揮散性に優れ、また殺虫又は／及び忌避効果を維持できるので、薬剤含浸体を小型化することができる。
【００１２】
このような薬剤含浸体としては、例えば、紙、糸（撚り糸等）、不織布、木材、パルプ、無機高分子物質、無機多孔質物質（ケイ酸塩、シリカ、ゼオライト等）、有機高分子物質（セルロース、ポリエチレン、ポリプロピレン、ポリビニルアルコール等）、昇華性物質（アダマンタン、シクロドデカン、パラジクロロベンゼン、ナフタリン、樟脳等）、樹脂類などが挙げられ、これらの１種以上を組み合わせて使用することができる。また、自重の数倍以上を保持できる薬剤含浸体、例えば連続気泡の発泡体などを用い、より小型化をしてもよい。そして、害虫防除剤を薬剤含浸体に均一に含浸させるために、水、アルコール、等の溶媒等を併用してもよい。
【００１３】
また、薄型で害虫防除剤の自然揮散を妨げない構造を有する限り、薬剤含浸体の形態、形状や大きさは任意であり、各種の形態、形状（例えば立体形状、板状形状、シート形状）で使用することができるが、本発明では容器内に薄型に収納する必要があることからシート形状とするのが好ましく、また通気性に優れ表面積を広くすることができるハニカム形状、ネット形状とするのもよい。
【００１４】
薬剤含浸体に害虫防除剤を保持させる方法として、例えば滴下塗布、浸漬塗布、スプレー塗布、含浸、薬剤含浸体への練り込み等の方法が挙げられる。害虫防除剤の保持量は、匍匐害虫等の害虫の防除に有効な量を持続的に放出できる量であるのが好ましい。即ち、害虫防除剤の含浸量を１〜２００ｍｇ／ｃｍ２より好ましくは、１０〜１００ｍｇ／ｃｍ２に設定するとよい。
【００１５】
害虫防除剤の有効成分の揮散量としては、精油を用いる場合には、一日当たり０．０４ｍｇ／リットル以上を目安に揮散孔の数、総面積を設定すればよく、例えば、２０〜３０リットルの容積を有する引き出し等においては、一日当たり１ｍｇ以上、好ましくは３ｍｇ以上とするのがよい。
例えば、精油の揮散量を一日当たり約５ｍｇとして用いる際には、本発明に係る害虫防除剤収納容器の寸法が直径２〜１０ｃｍ、高さ１〜３ｃｍとした場合には、蓋体に、径１ｍｍ×２個〜径１．５ｍｍ×４個程度の揮散孔を設けるとよい。
【００１６】
本発明に係る害虫防除剤収納容器を適用するのに好適な害虫としては、例えば、ゴキブリ、アリ、ノシメマダラメイガ、イガ、カツオブシムシ、コクゾウムシ、コイガ等の匍匐性の衛生害虫、食品害虫、衣料害虫等を例示することができる。
【発明の効果】
【００１７】
本発明によれば、害虫を防除するのに好適であると共に、使用前及び使用時においても害虫防除剤に含まれる有効成分の漏れを起こすことがなく、取扱性を向上させた害虫防除剤収納容器を提供することができる。
【発明を実施するための最良の形態】
【００１８】
以下、本発明に係る好適な実施形態について、図面を参照しながら説明する。
図１〜図３は本発明に係る害虫防除剤収納容器の一実施形態を示すものであり、図１は本発明の一実施形態に係る害虫防除剤収納容器の分解斜視図であり、図２は図１の害虫防除剤収納容器の組立前の縦断面図であり、図３は図２の害虫防除剤収納容器の組立後の縦断面図である。
【００１９】
図１に示すように、害虫防除剤収納容器１０は、容器本体１１と、蓋体１２と、円板シート状の薬剤含浸体１３と、を備えて構成され、例えば、箪笥、引き出し、流し台収納部、食器棚等の準密閉空間の中に設置されるものである。
【００２０】
容器本体１１は、ポリエチレン、ポリスチレン、ポリカーボネート、ポリ塩化ビニル、ポリエチレンテレフタレート、エチレンビニルアルコール共重合樹脂｛例えば、エバール（商品名）等｝、アクリロニトリル・ブタジエン・スチレン樹脂等の樹脂材により一体射出成形されたものであり、その底部に平坦面１１ａを有したお椀形状をなして、内底面１４と、この内底面１４の中央部から立設された容器本体側円環状内方壁（容器本体側環状内方壁）１５と、この容器本体側円環状内方壁１５と略同心円状になるように内底面１４から立設され且つこの容器本体側円環状内方壁１５を径方向で包囲する容器本体側円環状外方壁（容器本体側環状外方壁）１６と、その内底面１４の周縁から立設される容器本体側外壁１７と、を有している。
なお、内底面１４の中央部には、例えば曲げに対する応力分散のため、内側に突出して容器本体１１の裏面と表面とで湾曲形状をなす突部１８が形成されている。
【００２１】
容器本体側円環状内方壁１５は、容器本体１１に設けられた３個の壁１５，１６，１７のうち最も小さい径寸法を有し、図１中上方に向けて円筒形状に突出形成されている。そして、容器本体側円環状内方壁１５の内周縁に沿って、薬剤含浸体１３を支持するための１６個の支持部１９が内底面１４上に形成されている。この支持部１９は、略直方体形状に形成されており容器本体側円環状内方壁１５の内周縁に沿って円周方向に等間隔で設けられている。このため、円周方向に空隙２９が設けられていることになる。
【００２２】
容器本体側円環状外方壁１６は、容器本体側円環状内方壁１５と比べて大きい径寸法を有し、容器本体側円環状内方壁１５の外方に配設されており、上方に向けて円筒形状に突出形成されている。
【００２３】
容器本体側外壁１７は、容器本体１１の外壁を構成するものであり、容器本体側円環状外方壁１６と比べて大きい径寸法を有し、容器本体側円環状外方壁１６の外方に配設されて、湾曲した略円筒形状で上方に向けて突出形成されている。
【００２４】
蓋体１２は、容器本体１１と同様に、ポリエチレン、ポリスチレン、ポリカーボネート、ポリ塩化ビニル、ポリエチレンテレフタレート、エチレンビニルアルコール共重合樹脂｛例えば、エバール（商品名）等｝、アクリロニトリル・ブタジエン・スチレン樹脂等の樹脂材により一体射出成形されたものであり、天部に平坦面１２ａを有したお椀形状をなして、内天面２０と、この内天面２０の中央部から立設される蓋体側円環状内方壁（蓋体側環状内方壁）２１と、この蓋体側円環状内方壁２１と略同心円状になるように内天面２０から立設され且つ蓋体側円環状内方壁２１を径方向で包囲する蓋体側円環状外方壁２２（蓋体側環状外方壁）と、内天面２０の周縁から立設される蓋体側外壁２３と、を有する。
なお、内天面２０の中央部には、例えば曲げに対する応力分散のため、内側に突出して蓋体１２の表面と裏面とで湾曲形状をなす５個の突部２４が形成されており、これら突部２４の間には、４個の揮散孔２５が蓋体１２の表裏で貫通形成されている。
また、この揮散孔２５は、害虫防除剤収納容器１０が載置されたときの設置面から所定高さ以内の範囲に位置するように設けられており、この高さを５０ｍｍと設定するのがよく、さらに好ましくは１０〜２０ｍｍと設定するのがよい。
【００２５】
蓋体側円環状内方壁２１は、蓋体１２に設けられた３個の壁２１，２２，２３のうち最も小さい径寸法を有し、図１中左下方向に向けて円筒形状に突出形成されている。蓋体側円環状外方壁２２は、蓋体側円環状内方壁２１と比べて大きい径寸法を有し、蓋体側円環状内方壁２１の外方に配設されており、図１中左下方に向けて円筒形状に突出形成されている。そして、蓋体側外壁２３は、蓋体１２の外壁を構成するものであり、蓋体側円環状外方壁２２と比べて大きい径寸法を有し、蓋体側円環状外方壁２２の外方に配設されて、湾曲した略円筒形状で図１中左下方に向けて突出形成されている。
【００２６】
薬剤含浸体１３は、容器本体側円環状内方壁１５の径寸法よりも僅かに小さい径寸法を有し、所定の高さ寸法を有して円板形状に形成された含浸性を有する基材（シート）に、精油等を含む害虫防除剤が含浸されている。
【００２７】
そして、図２に示すように、蓋体１２の上面（表面）には、使用前に揮散孔２５を閉塞しておくための１枚のバージンシール２６が貼り付けられている。このバージンシール２６は分割式に構成されており、使用時に所定の箇所で部分的に剥されることで揮散孔２５が開放される。また、その残りの部分に使用を開始した日付等を書き込むことができるように構成されていてもよく、この場合には使い勝手をよくすることができる。
【００２８】
また、容器本体側円環形状内方壁１５の内径寸法Ｒ１は、蓋体側円環形状内方壁２１の内径寸法Ｒ２よりも僅かに大きく、この蓋体側円環形状内方壁２１の外径寸法Ｒ３よりも僅かに小さくなるように設定されている。
【００２９】
また、容器本体側円環形状外方壁１７の突出先端部には、周方向に渡って係止突起２７が設けられており、そして蓋体側外壁２３の突出先端部の内面には、周方向に渡って係合凹部（係合部）２８が設けられている。係止突起２７の外径寸法Ｒ４は、蓋体側円環状外方壁２２の外径寸法Ｒ５よりも大きく、係合凹部２８の内径寸法Ｒ６と同等である。
【００３０】
支持部１９は、内底面１４から高さ寸法Ｌ１となるように形成されているので、支持部１９上に薬剤含浸体１３が載置されると、薬剤含浸体１３と内底面１４との間に、高さ寸法Ｌ１の隙間空間が画成されることになる。より具体的には、その高さ寸法Ｌ１を１〜５ｍｍ程度に設定するとよく、低すぎると内底面１４と薬剤含浸体１３との距離が近くなりすぎて漏れを抑制する効果を十分に発揮できない虞があり、一方高すぎると、容器全体の嵩が高くなるので好ましくない。
【００３１】
図３に示すように、薬剤含浸体１３が容器本体１１の容器本体側円環形状内方壁１５の内側において支持部１９上に載置され、そして蓋体１２が容器本体１１に装着されることで、薬剤含浸体１３が、容器本体１１の容器本体側内方壁１５と蓋体１２の蓋体側円環状内方壁２１とにより包囲される収納空間３０内に収納されることになる。
【００３２】
このとき、容器本体側円環状外方壁１６が蓋体側円環状外方壁２２と蓋体側外壁２３との間に嵌め込まれると同時に容器本体側円環状内方壁１５が蓋体側円環状内方壁２１と蓋体側円環状外方壁２２との間に嵌め込まれ、そして蓋体側外壁２３の係合凹部２８が、容器本体側円環状外方壁１６の係止突起２７に係合され、蓋体１２が容器本体１１に閉塞されることになる。これにより、蓋体側外壁２３と蓋体側円環形状外方壁２２との間への容器本体側円環形状外方壁１６の嵌合と、蓋体円環形状外方壁２２と蓋体側円環形状内方壁２１との間への容器本体側内方壁１５の嵌合と、による二重嵌合が実現されて、含浸体収納部３０が密閉されることになる。
【００３３】
このような害虫防除剤収納容器１０は、使用時に、バージンシール２６が剥されることにより蓋体１２に設けられた揮散孔２５が開放される。そして、箪笥、引き出し、流し台収納部、食器棚等の所定の設置面に容器本体１１の平坦面１１ａが接触配置されるように設置される。このため、収納空間３０内に収納されている薬剤含浸体１３から、害虫防除剤の有効成分が揮散し始めて、所定空間に害虫が定着しないように忌避することができて、害虫を防除することができる。
【００３４】
以上説明したように、本実施形態によれば、装着時に容器本体１１と蓋体１２との間で画成される収納空間３０に収納される薬剤含浸体１３は、容器本体１１の内底面１４に設けられた支持部１９によりその内底面１４から離間するように配置され、そして蓋体１２表面に設けられた揮散孔２５から害虫防除剤の有効成分を外部へ揮散させる。これにより、使用前及び使用時においても、接触面を伝って漏れ出ることがなく、例えば、箪笥、引き出し、流し台収納部、食器棚等、害虫防除剤との接触が好ましくないものが収納される空間に設置されたとしても、害虫防除剤が外部へ漏れ出ることがない。また、薬剤含浸体１３に保持されている害虫防除剤が薬剤含浸体１３本体から漏れ出たとしても、支持部１９上の薬剤含浸体１３と内底面１４との間には隙間空間が存在するため、この隙間空間に一旦貯留された後にこの隙間空間内で気流等が発生して自然に揮散されることになり、外部への漏れを抑制することができる。したがって、害虫を防除するのに好適であると共に、使用前及び使用時においても外部への害虫防除剤に含まれる有効成分の漏れを起こすことがなく、取扱性を向上させることができる。さらに、容器本体１１には所定の面に載置するための平坦面１１ａが設けられているので、箪笥、引き出し、流し台収納部、食器棚等に安定して害虫防除剤収納容器１０を設置することができる。
【００３５】
また、本実施形態によれば、装着時に容器本体１１と蓋体１２との間で画成される収納空間３０に収納される薬剤含浸体１３は、内底面１４の円周方向に所定の間隔で複数配設されている支持部１９上に配置される。このため、雰囲気に対する薬剤含浸体１３全体の露出面積をより増大することができるので、薬剤含浸体１３の揮散性を向上させることができる。加えて、薬剤含浸体１３に保持されている害虫防除剤が薬剤含浸体１３本体から漏れ出たとしても、害虫防除剤が、前述した支持部１９上の薬剤含浸体１３と内底面１４との間の隙間空間に加えて、支持部１９それぞれの周方向間には空隙２９も存在するため、これら空間内でさらに自然に揮散されることになり、外部への漏れをより抑制することができる。
【００３６】
さらに、本実施形態によれば、蓋体１２が容器本体１１に装着された時、容器本体側円環状外方壁１６が蓋体側円環状外方壁２２と蓋体側外壁２３との間に嵌め込まれると同時に容器本体側円環状内方壁１５は蓋体側円環状内方壁２１と蓋体側円環状外方壁２２との間に嵌め込まれ、このことにより二重嵌合が実現されることになる。このため、密閉性に優れ使用前の害虫防除剤の漏れ（容器外部への有効成分の漏れ）を防ぐと共に害虫防除剤収納容器１０の傾きや倒れが生じたとしても、この二重嵌合で蓋体１２及び容器本体１１が密着されているので、蓋体１２と容器本体１１との間から漏れを生ずることがなく、取扱性を向上させることができる。
【００３７】
そして、本実施形態によれば、蓋体１２が容器本体１１に装着された時、容器本体側円環状外方壁１７に設けられた係止突起２７が、蓋体側外壁２３に設けられた係合凹部２８に係合されることで、嵌め合わせ感が適度に付与できて、蓋体１２と容器本体１２との装着が確実に行われたことを作業者や使用者に促すことができると共により、密封性及び取扱性を向上させることができる。
【００３８】
さらに、本実施形態によれば、蓋体１２に設けられる揮散孔２５が、所定の面、即ち設置面から所定の高さ以内の範囲に位置するように設けられ、揮散孔２５と設置面との距離が近くなるので、その揮散孔２５から揮散させられた害虫防除剤の有効成分がその設置面に沿って放射状に拡散されることになる。このため、対象とする害虫が、ゴキブリ、コクゾウムシ等の匍匐害虫とされる場合には、害虫防除効果をより高めることができる。
【実施例】
【００３９】
次に、本発明に係る害虫防除剤収納容器の作用効果を確認するために行った複数の実施例について説明する。
【００４０】
（実施例１）
まず、本発明に係る害虫防除剤収納容器の害虫防除効果（特に忌避効果）を確認するため設置空間における定着阻止率試験を行った。設置空間として引き出しの空間を想定し、２２Ｌの空間を有するチャンバを用意して試験を行った。
より具体的には、図４に示すように、１ｍ×１ｍ×２５ｃｍのチャンバ５００内に２５ｃｍ×２５ｃｍ×３５ｃｍのボックス５０１，５０２を２つ配置する。そして、この２つのボックス５０１，５０２のうちの一方のボックス５０１にのみ、本発明に係る害虫防除剤収納容器（全体  径：５ｃｍ    高さ：１．５ｃｍ）を配置し（この害虫防除剤収納容器が配置されるボックス５０１を「処理区」、配置されないボックス５０２を「無処理区」とも言う。）、クロゴキブリの雄雌各２５頭をチャンバ内に放した上で、２５℃、４０％ＲＨの環境条件下で、明暗を１２ｈおきに繰り返して、この２つのボックス５０１，５０２それぞれにおける定着阻止率を調べた。また、チャバネゴキブリ雄雌各３０頭についても同様な試験を行った。
なお、試験時、ボックス５０１，５０２のいずれも不透明塩ビ材の蓋を行い、バット５００内に固形飼料が入れられた容器５０３及び水が入れられた容器５０４を配置し、そして、害虫防除剤として、ゴキブリに対して忌避作用を有するローズマリーオイル（２５０ｍｇ）を薬剤含浸体に含浸させて用いた。また、薬剤含浸体としては、円形状のパルプ製シートを用い、その径を３３ｍｍ、厚みを２．８ｍｍと設定した。
【００４１】
クロゴキブリの定着阻止率を表１に、チャバネゴキブリの定着阻止率を表２に示す。
なお、定着阻止率は以下の数式を用いて算出した。
【００４２】
【数１】
2009153400.tif 000003
【００４３】
【表１】
2009153400.tif 000004
【００４４】
【表２】
2009153400.tif 000005
【００４５】
表１及び表２により明らかなように、クロゴキブリ及びチャバネゴキブリは、いずれも処理区に定着しないことがわかる。これにより、本発明に係る害虫防除剤収納容器の害虫防除効果が確認された。
【００４６】
（実施例２）
次に、本発明に係る害虫防除剤収納容器の漏れ（使用前の容器外部への有効成分の漏れ）防止の効果を確認するための試験を行った。
この試験として、本発明に係る害虫防除剤収納容器（全体  径：５ｃｍ  高さ１．５ｃｍ）と、比較例として前述の容器本体側円環状内方壁及び蓋体側円環形状内方壁が設けられていない害虫防除剤収納容器（以下、この害虫防除剤収納容器を「比較例」とも言う。）と、を用意した。いずれの薬剤含浸体にも、害虫防除剤の有効成分としてローズマリーオイルを５０％含んだ香料（５００ｍｇ）を含浸させてそれぞれの害虫防除剤収納容器に収納させ容器本体と蓋体とを装着して、２５℃の環境条件下に放置した。そして、１週間後に薬剤含浸体の質量を測定し、その減少量からその薬剤の漏れ量を求めた。
【００４７】
本発明及び比較例について複数個の検体（本発明： ｎ＝３、比較例：ｎ＝７）で行い、本発明のものではその漏れ量が平均０ｍｇであったに対し、比較例では平均１０５ｍｇであった。これにより、本発明に係る害虫防除剤収納容器が、使用前の有効成分の漏れ防止効果に優れていることが確認された。
【００４８】
なお、本発明は、前述した実施形態に限定されるものではなく、適宜、変形、改良、等が可能である。その他、前述した実施形態における各構成要素の材質、形状、寸法、数、配置箇所、等は本発明を達成できるものであれば任意であり、限定されない。
【００４９】
例えば、揮散孔２５の数は、図示した４個に限定されず、１個であっても、４個以外の複数個であっても良く、害虫防除剤収納容器の揮散性の程度によってその数は適宜選定されて、揮散孔２５全体からの揮散量が調整されることになる。さらに、前述した実施形態では、揮散孔を蓋体１２のみに設けたが、容器本体１１側にも設けてもよい。この場合には、害虫防除剤の有効成分をより多く、外部へ揮散させることができ、使用時における揮散性をより高めて、害虫防除効果の向上を図ることができる。
【００５０】
また、前述した実施形態では、支持部１９を１６個設けたが、これに限らず、薬剤含浸体１３を安定して支持できればよく、その個数は３〜２０個がよい。少なすぎると薬剤含浸体１３を安定に支持できず、一方多すぎると支持部１９間に設けられる空隙２９が少なくなってしまい、漏れを抑制する効果を損なってしまうことになるので好ましくない。
【００５１】
さらに、変形例として、図５に示すように、容器本体１１の容器本体側外壁１７の周方向等間隔の４箇所で設置面に向かって棒状に延出した４本の脚部１１１が設けられた害虫防除剤収納容器１１０とすることもできる。この形態では、設置面に対し安定して載置でき、また容器本体１１の底面に揮散孔が設けられた場合には、容器上方だけではなく、下方からも害虫防除剤の有効成分を揮散できて、害虫防除効果を高めることができる。
【００５２】
また、別の変形例として、図６に示すように、傘部材２１２を有した害虫防除剤収納容器２１０とすることもできる。即ち、蓋体１２の天面（上面）の中央部にボス部２１１が設けれ、このボス部２１１の先端部には係合突起２１１ａが突出形成されている。一方、傘部材２１２は、円形状の平板部２１２ｂと、この平板部２１２ｂの中央部に設けられると共に係合溝２１２ｃを有したボス部２１２ａと、を有して構成されている。そして、この両ボス部２１１、２１２ａを合わせ、係合突起２１１ａと係合溝２１２ｃとを嵌め合わせることで傘部材２１２が取り付けられる。
したがって、本変形例によれば、揮散孔２５から揮散された有効成分は、傘部材２１２と蓋体１２の天部とにより画成された略円環状の空間の周方に向かって流れることなり、その後、害虫防除剤収納容器２１０の外壁２３、１７を沿って設置面に流れ、そして設置面の面方向に沿って放射状に拡散されることになる。このため、対象とする害虫が、ゴキブリ、コクゾウムシ等の匍匐害虫とされる場合には、害虫防除効果をより高めることができる。
【図面の簡単な説明】
【００５３】
【図１】本発明の一実施形態に係る害虫防除剤収納容器の分解斜視図である。
【図２】図１の害虫防除剤収納容器の組立前の縦断面図である。
【図３】図２の害虫防除剤収納容器の組立後の縦断面図である。
【図４】実施例に用いた試験装置の概略図である。
【図５】害虫防除剤収納容器の変形例を示す縦断面図である。
【図６】害虫防除剤収納容器の更に別の変形例を示す縦断面図である。
【符号の説明】
【００５４】
１０    害虫防除剤収納容器
１１    容器本体
１１ａ  平坦面
１２    蓋体
１３    薬剤含浸体
１４    内底面
１５    容器本体側円環状内方壁（容器本体側環状内方壁）
１６    容器本体側円環状外方壁（容器本体側環状外方壁）
１７    容器本体側外壁
１９    支持部
２０    内天面
２１    蓋体側円環状内方壁（蓋体側環状内方壁）
２２    蓋体側円環状外方壁（蓋体側環状外方壁）
２３    蓋体側外壁
２５    揮散孔
２７    係止突起
２８    係合凹部（係合部）
３０    収納空間
【図１】
2009153400.tif 000006
【図２】
2009153400.tif 000007
【図３】
2009153400.tif 000008
【図４】
2009153400.tif 000009
【図５】
2009153400.tif 000010
【図６】
2009153400.tif 000011